(57)【要約】【課題】処理用シート後端縁Ｅａにリード用シート先端縁Ｊａを接合するのに適したリード用シート接合設備。【解決手段】処理用シート巻出装置５を介してシート繋ぎ装置３配置側と反対側に作業空間Ｓを形成して配置され、リード用シートのロールＫを支持するリード用シート巻出装置６と、処理用シート巻出装置５からシートガイド装置２へ巻き出されて停止中の処理用シートＥを保持する第１保持具１０、処理用シートＥを切断する切断具１１、第１保持具１０及び切断具１１を保持・切断位置Ｌｂから接合位置Ｍまで移動させる第１移動装置１２を有する切断・保持装置５と、リード用シート先端縁Ｊａを作業空間Ｓに面する引受位置で引き受けて保持する第２保持具１５、引受位置Ｎから接合位置Ｍで停止中の処理用シート切断縁Ｅａにリード用シート先端縁Ｊａを当接させる当接位置Ｐｂまで第２保持具１５を移動させる第２移動装置１６を有する引出し装置７とを備えた。【選択図】図１
2010058867.tif 000002
【特許請求の範囲】
【請求項１】
処理用シート巻出装置が支持するシートロールからシートガイド装置へ巻き出されて停止中の処理用シートを、切断・保持装置の第１保持具で保持して処理用シートのシートロール側を切断具で切断分離し、
シートガイド装置へ至る処理用シートの切断縁を第１保持具で保持しつつ第１移動装置で保持・切断位置から接合位置へ移動させて待機させると共に、処理用シート巻出装置を介してシート繋ぎ装置配置側と反対側に設けたリード用シート巻出装置のシートロールから巻き出されて引出し装置の第２保持具で保持されているリード用シートの先端縁に接合手段を施し、
その後にリード用シートの先端縁を保持している引出し装置の第２保持具を第２移動装置で保持位置から処理用シート巻出装置の上方を通過して当接位置まで移動させることで、第１保持具で保持されて接合位置で停止中の処理用シートの切断縁にリード用シートの先端縁を当接させて前記接合手段で接合する
ことを特徴とするリード用シート接合方法。
【請求項２】
シートガイド装置と、処理用シートを巻上げたシートロールの複数本を支持できる処理用シート巻出装置と、シートガイド装置と処理用シート巻出装置の間に配置され、シートガイド装置へ送り出されているシートと処理用シート巻出装置から巻き出された処理用シートを繋ぎ合わせるシート繋ぎ装置とを備えたシート接合設備において、
処理用シート巻出装置を介してシート繋ぎ装置配置側と反対側に、処理用シート巻出装置との間に作業空間を形成して配置され、リード用シートを巻上げたシートロールを支持するリード用シート巻出装置と、
処理用シート巻出装置が支持するシートロールからシートガイド装置へ巻き出されて停止中の処理用シートを保持する第１保持具、第１保持具が保持する処理用シートのシートロール側を切断する切断具、並びに第１保持具及び切断具を保持・切断位置から接合位置まで移動させる第１移動装置を有する切断・保持装置と、
リード用シート巻出装置が支持するシートロールから巻き出されるリード用シートの先端縁を前記作業空間に面する引受位置で引き受けて保持する第２保持具、及び引受位置から第１保持具で保持されて接合位置で停止中の処理用シートの切断縁にリード用シートの先端縁を当接させる当接位置まで第２保持具を移動させる第２移動装置を有する引出し装置と
を備えたことを特徴とするリード用シート接合設備。
【発明の詳細な説明】
【技術分野】
【０００１】
本発明は、処理用シート巻出装置からシートガイド装置へ巻き出された処理用シートを切断し、シートガイド装置へ至る処理用シートの切断縁に、リード用シート巻出装置から巻き出されたリード用シートの先端縁を当接させて接合するリード用シート接合方法及び巻出設備に関するものである。
【背景技術】
【０００２】
従来のシート巻出設備には、シートガイド装置と、処理用シートを巻上げたシートロールの複数本を支持する処理用シート巻出装置と、シートガイド装置と処理用シート巻出装置の間に配置され、処理用シート巻出装置が支持するシートロールから巻き出された二枚の処理用シートどうしを繋ぎ合わせるシート繋ぎ装置とを備え、シート繋ぎ装置で新旧の処理用シートを繋ぎ合わせて処理用シートを連続的にシートガイド装置へ送り出すものが知られている（非特許文献１）。
【非特許文献１】著者：Ｈｅｒｂｅｒｔｌ．Ｗｅｉｓｓ、訳者：濱田久光、「コーティング＆ラミネーティングマシン」、株式会社加工技術研究会出版、１９９６年２月１９日発行、Ｐ２９９〜３０５
【０００３】
新旧の処理用シートを繋ぎ合わせて連続的に送り出される処理用シートは、ガイドロール等からなるシートガイド装置で案内されて塗工・乾燥装置等の処理装置へ導かれ、処理装置を通過する間に所定の処理が施される。
【発明の開示】
【発明が解決しようとする課題】
【０００４】
ところで、塗工・乾燥装置等の処理装置は、一日の操業の終了、処理内容の変更または保守点検等で運転を停止するときに、乾燥装置内に滞留するプラスチックフィルム等の処理用シートが乾燥装置内の余熱で溶融して装置に付着する等の不都合を阻止するために、処理用シートを予め除去した状態で運転を一端停止させ、運転を再開するときに処理用シートを通過させることが一般的に行なわれている。しかし、処理装置を通過して滞留している処理用シートを除去し、その後に処理用シートを通過させることは、多くの手間と時間を費やするため、処理装置の稼働効率を低下させることがある。
【０００５】
稼働効率の低下を防止するためには、処理装置を通過している処理用シートを除去するときに、停止後の処理装置内に滞留させても耐えることができるリード用シートを処理用シートの後端縁に繋ぎ合わせて、処理装置内にリード用シートを導いて滞留させることがある。しかし、従来は、処理用シートの後端縁にリード用シートを繋ぎ合わせのに適した装置がないため、二人の作業者による手作業で処理用シートとリード用シートの繋ぎ合わせ行なっており、多くの手間と時間を費やすると共に、危険を伴うこともある。
【０００６】
本発明は、上記問題を解決するために、処理用シートの後端縁にリード用シートの先端縁を接合するのに適したリード用シート接合方法及びリード用シート接合設備を提供するものである。
【課題を解決するための手段】
【０００７】
請求項１記載の本発明が採用した手段は、処理用シート巻出装置が支持するシートロールからシートガイド装置へ巻き出されて停止中の処理用シートを、切断・保持装置の第１保持具で保持して処理用シートのシートロール側を切断具で切断分離し、シートガイド装置へ至る処理用シートの切断縁を第１保持具で保持しつつ第１移動装置で保持・切断位置から接合位置へ移動させて待機させると共に、処理用シート巻出装置を介してシート繋ぎ装置配置側と反対側に設けたリード用シート巻出装置のシートロールから巻き出されて引出し装置の第２保持具で保持されているリード用シートの先端縁に接合手段を施し、その後にリード用シートの先端縁を保持している引出し装置の第２保持具を第２移動装置で保持位置から処理用シート巻出装置の上方を通過して当接位置まで移動させることで、第１保持具で保持されて接合位置で停止中の処理用シートの切断縁にリード用シートの先端縁を当接させて前記接合手段で接合することを特徴とするリード用シート接合方法である。      
【０００８】
請求項２記載の本発明が採用した手段は、シートガイド装置と、処理用シートを巻上げたシートロールの複数本を支持できる処理用シート巻出装置と、シートガイド装置と処理用シート巻出装置の間に配置され、シートガイド装置へ送り出されているシートと処理用シート巻出装置から巻き出された処理用シートを繋ぎ合わせるシート繋ぎ装置とを備えたシート接合設備において、処理用シート巻出装置を介してシート繋ぎ装置配置側と反対側に、処理用シート巻出装置との間に作業空間を形成して配置され、リード用シートを巻上げたシートロールを支持するリード用シート巻出装置と、処理用シート巻出装置が支持するシートロールからシートガイド装置へ巻き出されて停止中の処理用シートを保持する第１保持具、第１保持具が保持する処理用シートのシートロール側を切断する切断具、並びに第１保持具及び切断具を保持・切断位置から接合位置まで移動させる第１移動装置を有する切断・保持装置と、リード用シート巻出装置が支持するシートロールから巻き出されるリード用シートの先端縁を前記作業空間に面する引受位置で引き受けて保持する第２保持具、及び引受位置から第１保持具で保持されて接合位置で停止中の処理用シートの切断縁にリード用シートの先端縁を当接させる当接位置まで第２保持具を移動させる第２移動装置を有する引出し装置とを備えたことを特徴とするリード用シート接合設備である。
【０００９】
請求項２記載の本発明にあっては、処理用シート巻出装置が支持するシートロールからシートガイド装置へ巻き出されて停止中の処理用シートを、切断・保持装置の第１保持具で保持して処理用シートのシートロール側を切断具で切断分離し、シートガイド装置へ至る処理用シートの切断縁を第１保持具で保持しつつ第１移動装置で保持・切断位置から接合位置へ移動させて待機させると共に、リード用シート巻出装置のシートロールから巻き出されて引出し装置の第２保持具で保持されているリード用シートの先端縁に対して、作業空間にいる作業者が接合用テープを貼着する等して接合手段を施し、その後にリード用シートの先端縁を保持している引出し装置の第２保持具を第２移動装置で保持位置から当接位置まで移動させることで、第１保持具で保持されて接合位置で停止中の処理用シートの切断縁にリード用シートの先端縁を当接させて接合手段で接合することができる。
【発明の効果】
【００１０】
請求項１記載の本発明に係るリード用シート接合方法は、処理用シート巻出装置からシートガイド装置へ巻き出されて停止中の処理用シートに対する切断と保持を切断・保持装置で行い、シート巻出装置から巻き出されているリード用シートの先端縁に対して接合手段が施されたリード用シートの先端縁を接合位置で停止中の処理用シートの切断縁に当接させて接合させることを引出し装置で行うため、多くの手間と時間を費やすることなく行うことができる。
【００１１】
請求項２記載の本発明に係るリード用シート接合設備は、処理用シート巻出装置からシートガイド装置へ巻き出されて停止中の処理用シートに対する切断と保持を切断・保持装置で行い、シート巻出装置から巻き出されているリード用シートの先端縁に対する接合手段の施しを作業空間にいる作業者ができ、接合手段が施されたリード用シートの先端縁を接合位置で停止中の処理用シートの切断縁に当接させて接合させることを引出し装置で行うため、多くの手間と時間を費やすることもなく、また危険を伴うこともなく行うことができる。
【発明を実施するための最良の形態】
【００１２】
本発明に係るリード用シート接合方法（以下、「本発明方法」と言う。）及び本発明に係るリード用シート接合設備（以下、「本発明設備」と言う。）を図１乃至図８に示す図面に示す実施形態に基づいて説明する。
【００１３】
図１は本発明設備１において処理用シート巻出装置５の一方のシートロールＦから処理用シートＥを巻き出すと共にリード用シート巻出装置６から巻き出したリード用シートＪの先端縁Ｊａを引出し装置７の第２保持具１５に保持させている状態を示す左側面図、図２は本発明設備１の平面図、図３は切断・保持装置４及びシート繋ぎ装置３を拡大して示す左側面図、図４は第１保持具１０及び切断具１１を前進位置Ｐの待機位置Ｐａに位置させた状態を拡大して示す左側面図、図５は処理用シート巻出装置５の一方のシートロールＦから巻き出されて停止中の処理用シートＥを切断・保持装置４の第１保持具１０の吸引箱３９で保持しつつ切断具１１の刃４０で切断している途中を拡大して示す左側面図、図６は処理用シートＥの切断縁Ｅａを保持している切断・保持装置４の第１保持具１０及び切断具１１を接合位置Ｍで待機させると共に、リード用シートＪの先端縁Ｊａを保持している引出し装置７の第２保持具１５を当接位置の直前まで移動させている状態を示す左側面図、図７は処理用シートＥの切断縁Ｅａにリード用シートＪの先端縁Ｊａを接合手段Ｑを介して当接して接合している状態を拡大して示す左側面図、図８は接合した処理用シートＥ及びリード用シートＪを走行させている状態を示す左側面図である。
【００１４】
本発明設備１は、図１及び図２に示す如く、後方から前方へ向かって順番に、シートガイド装置２、シート繋ぎ装置３、切断・保持装置４、処理用シート巻出装置５及びリード用シート巻出装置６が配置されていると共に、処理用シート巻出装置５の上方を跨ぐようにして第２保持具１５を前後移動させる引出し装置７が配置されている。
【００１５】
前記シートガイド装置２は、シート繋ぎ装置３等の固定フレーム１９に取付けられたガイドロール１８，１８又は搬送コンベア（図示略）等からなり、処理用シート巻出装置５から巻き出されてシート繋ぎ装置３を通過した処理用シートＥ（図１参照）又はリード用シート巻出装置６から巻き出されてシート繋ぎ装置３を通過したリード用シートＪ（図８参照）を案内して後方側の塗工・乾燥装置等の処理装置（図示略）へ送り出すようになっている。
【００１６】
前記処理用シート巻出装置５は、図１及び図２に示す如く、多軸（本例は２軸）ターレ式であって、左右の支持体２１，２１と、各支持体２１に設けられた旋回手段２２と、左右の旋回手段２２，２２に設けられてシートロールＦの芯棒を着脱自在に支持する左右一組のチャック２３，２３の複数組（本例は２組）と、各組の一方のチャック２３に連結されたブレーキ手段（図示略）と、左右の旋回手段２２，２２に架設されたガイドロール２４，２４，…と備え、処理用シートＥを巻上げた複数本（本例は２本）のシートロールＦを各組のチャック２３，２３で支持すると共に、シートロールＦから巻き出されてシート繋ぎ装置３の入口側に取付けられているガイドロール２６へ至る処理用シートＥにブレーキ手段で制動を付与するようにしてある。処理用シート巻出装置５から巻き出された処理用シートＥは、前記処理装置（図示略）へ送り出されて塗工・乾燥等の処理が施されることになる。
【００１７】
前記シート繋ぎ装置３は、図１に示す如く、シートガイド装置２と処理用シート巻出装置５の間に配置され、シートガイド装置２へ既に送り出されている旧シート（処理用シートＥ又はリード用シートＪ）の後端と処理用シート巻出装置５の支持する新しいシートロールＦから巻き出された新シートである処理用シートＥの先端を突き合わせて新旧シートＥ，Ｅの両面を粘着テープＴ，Ｔで繋ぎ合わせるものであり、特許第２８８１６４６号公報に掲載された公知のシート繋ぎ装置を採用することができる。
【００１８】
前記切断・保持装置４は、図４及び図５に示す如く、処理用シート巻出装置５が支持するシートロールＦから巻き出されてシートガイド装置２へ送られて停止中の処理用シートＥを保持する第１保持具１０と、第１保持具１０が保持する処理用シートＥのシートロールＦ側（上流側）を切断する切断具１１と、第１保持具１０及び切断具１１を保持・切断位置Ｌｂ（図５参照）から接合位置Ｍ（図３，図６及び図７参照）まで移動させる第１移動装置１２とを備えている。第１移動装置１２は、第１保持具１０及び切断具１１を接合位置Ｍから二段階で保持・切断位置Ｌｂ（図５参照）まで前進させるようになっており、第１段階では接合位置Ｍから前進位置Ｌの待機位置Ｌａ（図４参照）まで移動させ、第２段階で前進位置Ｌの待機位置Ｌａ（図４参照）から保持・切断位置Ｌｂ（図５参照）まで移動させるようにしてある。切断・保持装置４は、下方にガイドロール２６を固定配置して、処理用シートＥ又はリード用シートＪをシートガイド装置２へ案内するようにしてある。
【００１９】
前記第１移動装置１２は、図４に示す如く、シート繋ぎ装置３に接合する等した固定フレーム２０に揺動自在に枢支２８されると共に連結フレーム３０で連結された左右の揺動フレーム２９，２９と、固定フレーム２０と各揺動フレーム２９の間に取付けらて揺動フレーム２９，２９を接合位置Ｍ（図３参照）から前進位置Ｌまで揺動させるエアーシリンダー等からなる左右の揺動用操作具３１，３１と、揺動フレーム２９，２９に取付けられて第１保持具１０及び切断具１１を前進位置Ｌにおける待機位置Ｌａから保持・切断位置Ｌｂ（図５参照）まで進退させる第１前進・後退手段３２と、揺動フレーム２９，２９に取付けられたガイドロール等からなる上流側のシート用ガイド３７と、第１前進・後退手段３２の後述する連結具３４に取付けられたガイドロール等からなる下流側のシート用ガイド３８とを備えている。第１前進・後退手段３２は、図３に示す如く、左右の揺動フレーム２９，２９の各々に取付けられた左右の軸受部３３，３３と、第１保持具１０、切断具１１及びシート用ガイド３８を取付けた左右方向へ延びる連結部３４と、連結部３４の左右から二本一組で延びて左右の軸受部３３，３３で進退自在に案内される左右各組の案内軸３５，３５と、左右の軸受部３３，３３と連結部３４の間に取付けらたエアーシリンダー等からなる左右の進退用操作具３６，３６とを備え、前進位置Ｌに位置する第１保持具１０及び切断具１１を待機位置Ｌａ（図４参照）から保持・切断位置Ｌｂ（図５参照）まで進退させるようにしてある。第１移動装置１２は、第１保持具１０及び切断具１１を接合位置Ｍから二段階で保持・切断位置Ｌｂ（図５参照）まで前進させることで、処理用シートＥの左右幅方向が大きくても、処理用シートＥを第１保持具１０で確実に吸引保持しつつ切断具１１で確実に切断することができる。
【００２０】
前記第１保持具１０は、図３に示す如く、第１前進・後退手段３２の連結具３４に取付けられ、処理用シートＥを吸引保持する左右方向へ延びる吸引板３９ａを設けた吸引箱３９と、吸引板３９ａの吸引をＯＮ／ＯＦＦ制御する吸引手段（図示略）とを備え、吸引手段のＯＮ・ＯＦＦ状態について、処理用シートＥを切断具１１で切断するとき（図５参照）、切断した処理用シートＥを保持・切断位置Ｌｂから接合位置Ｍまで移動させるとき（図６参照）及びリード用シートＪの先端縁Ｊａが接合されるとき（図７参照）には、吸引板３９ａの吸引をＯＮ状態とし、リード用シートＪの先端縁Ｊａの接合が終了して接合した処理用シートＥ及びリード用シートＪを走行させるとき（図８参照）には、吸引板の吸引をＯＦＦ状態とするようにしてある。
【００２１】
前記切断具１１は、図３及び図２に示す如く、切断刃４０と、第１前進・後退手段３２の連結具３４に取付けられ、切断刃４０を切断動作のために左右方向に沿って移動させるトラバース装置４１とを備え、待機位置の切断刃４０を左右方向へ移動させて処理用シートＥを横断方向へ切断するようにしてある。トラバース装置４１は、例えば、連結具３４に取付けられた左右のチエーンスプロケットと、左右のチエーンスプロケットに張架されて切断刃４０を取付けたエンドレスのチエーンと、一方のチエーンスプロケットを正逆転回転させるサーボモータとを備え、サーボモータの駆動で切断刃４０を待機位置から切断のために左右方向へトラバースさせるようにしてある。なお、切断具１１は、切断刃４０を左右方向へトラバースさせるタイプに限定するものではなく、鋸状の刃先を左右に沿って多数形成した切断刃を進退させてギロチン式に切断させるタイプを採用することも可能である。
【００２２】
前記切断・保持装置４は、処理用シートＥを切断・保持するするために、図４に示す如く、第１移動装置１２の揺動フレーム２９，２９を揺動用操作具３１，３１で前進位置Ｌで停止させると共に、第１前進・後退手段３２の進退用操作具３６，３６で第１保持具１０及び切断具１１を待機位置Ｌａで停止させて待機状態とし、処理用シートＥに前方のシート用ガイド３７を圧接させて処理用シートＥのシート張力を切断に適した張力まで増大させ、その後、図５に示す如く、第１前進・後退手段３２の左右の進退用操作具３６，３６で第１保持具１０及び切断具１１を保持・切断位置Ｌｂまで前進させて停止させた後に、第１保持具１０の吸引箱３９の吸引をＯＮ状態にしつつ切断具１１の切断刃４０を左右方向へトラバースさせて処理用シートＥを切断する。続けて、切断・保持装置４は、第１前進・後退手段３２の進退用操作具３６，３６で第１保持具１０及び切断具１１を待機位置Ｌａ（図４参照）まで後退させると共に、第１保持具１０で処理用シートＥを吸引保持しつつ、図６に示す如く、第１移動装置１２の揺動用操作具３１，３１で左右の揺動フレーム２９，２９を揺動させて第１保持具１０を接合位置Ｍまで後退させ、後述するリード用シートＪの接合動作まで待機させる。
【００２３】
前記リード用シート巻出装置６は、図１及び図２に示す如く、処理用シート巻出装置５を介してシート繋ぎ装置３の配置側と反対側に、処理用シート巻出装置５との間に作業空間Ｓを形成して配置され、リード用シートＪを巻上げたシートロールＫを支持するようにしてある。リード用シート巻出装置６は、１軸式であって、左右の支持フレーム４２，４２と、支持フレーム４２，４２に設けられシートロールＫの芯棒を支持する左右一組のロール支持具４３，４３と備えている。リード用シート巻出装置６は、必要に応じて、シートロールＫから巻き出されるリード用シートＪに制動を付与するためのブレーキ手段を設けることもある。
【００２４】
前記引出し装置７は、図１及び図６に示す如く、リード用シート巻出装置６のシートロールＫから巻き出されたリード用シートＪの先端縁Ｊａを前記作業空間Ｓに面する引受位置Ｎで吸引保持する第２保持具１５と、第２保持具１５を引受位置Ｎから当接位置Ｐｂ（すなわち、図７に示す前記第１保持具１０で保持されて接合位置Ｍで停止中の処理用シートＥの切断縁Ｅａにリード用シートＪの先端縁Ｊａを当接させる位置）まで第２保持具１５を移動させる第２移動装置１６とを備えている。第２移動装置１６は、第２保持具１５を引受位置Ｎから二段階で当接位置Ｐｂ（図７参照）まで前進させるようになっており、第１段階では引受位置Ｎから前進位置Ｐの待機位置Ｐａ（図６参照）まで移動させ、第２段階で前進位置Ｐの待機位置Ｐａ（図６参照）から当接位置Ｐｂ（図７参照）まで移動させるようにしてある。引出し装置７は、リード用シートＪを案内するために固定配置したガイドロール４５と、第２保持具１５に設けられリード用シートＪの方向を変換する小径ロール等からなるシート用ガイド５８を備えていある。
【００２５】
前記第２移動装置１６は、図１に示す如く、本発明設備１の左右上方に設けた本体梁材４７，４７に取付けられて前後方向へ延びる左右のガイドレール４８，４８と、ガイドレール４８，４８に案内されて前後方向へ移動する左右方向に延びる移動体４９と、移動体４９を引受位置Ｎから前進位置Ｐのまで進退させるロッドレスのエアーシリンダー等からなる移動用操作具（図示略）と、移動体４９に取付けられて第２保持具１５を前進位置Ｐにおける待機位置Ｐａから接合のための当接位置Ｐｂまで進退させる第２前進・後退手段４６とを備えている。
【００２６】
前記第２前進・後退手段４６は、図７及び図６に示す如く、移動体４９の左右の各々に取付けられた左右の軸受部５２，５２と、第２保持具１５の後述する吸引箱５７の左右から二本一組で延びて左右の軸受部５２，５２で進退自在に案内される左右各組の案内軸５４，５４と、左右の軸受部５２，５２と第２保持具１５の間に取付けらたエアーシリンダー等からなる進退用操作具５０，５０とを備え、進退用操作具５０，５０で第２保持具１５を前進位置Ｐの待機位置Ｐａ（図６参照）から当接位置Ｐｂ（図７参照）まで進退させ、前記切断・保持装置４の第１保持具１０で保持されて待機中の処理用シートＥの切断縁Ｅａにリード用シートＪの接合手段Ｑが施されている先端縁Ｊａを当接させて接合するときに、進退用操作具５０，５０の出力部を前進させて、第２保持具１５に保持されているリード用シートＪの先端縁Ｊａを処理用シートＥの切断縁Ｅａに押圧させて接合させるようにしてあ。第２移動装置４６は、第２保持具１５を引受位置Ｎから二段階で当接位置Ｐｂ（図７参照）まで前進させることで、リード用シートＪ及び処理用シートＥの左右幅方向が大きくても、リード用シートＪを第２保持具１５で吸引保持しつつ、処理用シートＥの切断縁Ｅａに押圧させて確実に接合させることができる。
【００２７】
前記引出し装置７の第２保持具１５は、図１に示す如く、リード用シートＪの先端縁Ｊａを吸引保持する左右方向へ延びる吸引板５７ａを設けた吸引箱５７と、吸引板５７ａの吸引をＯＮ／ＯＦＦ制御する吸引手段（図示略）とを備え、引受位置Ｎ（図１参照）から当接位置Ｐｂ（図７参照）まで移動して、処理用シートＥの切断縁Ｅａにリード用シートＪの先端縁Ｊａを押圧させて接合するまで吸引板の吸引をＯＮ状態とし、リード用シートＪの先端縁Ｊａの接合が終了したときに吸引板の吸引をＯＦＦ状態とするようにしてある。
【００２８】
なお、前記引出し装置７は、第２保持具１５の吸引箱５７の下方に、リード用シートＪを切断するための切断装置（前記切断具１１に相当するもの）を設け、リード用シートＪの先端を切り揃えるようにすることも可能である。
【００２９】
次に、本発明設備１を用いて処理用シートＥにリード用シートＪを接合する本発明方法の手順を説明する。
【００３０】
（準備工程）
図１に示す如く、作業空間で作業する作業者が、リード用シート巻出装置６から巻き出されたリード用シートＪの先端縁Ｊａを引出し装置７の第２保持具１５に保持させると共に、この先端縁Ｊａに対して接合用テープを貼着する等して接合手段Ｑを施す。処理用シート巻出装置５が支持するシートロールＦからシートガイド装置２へ巻き出されている処理用シートＥの走行を停止する。
【００３１】
（処理用シートＥの切断工程）
図１及び図４に示す接合位置Ｍに停止している切断・保持装置４を図４に示す前進位置Ｌの待機位置Ｌａまで第１保持具１０の吸引箱３９及び切断具１１の刃４０を移動させ、、走行停止中の処理用シートＥに吸引箱３９及び刃４０を接近させる。このとき、切断・保持装置４のシート用ガイド３７を走行停止中の処理用シートＥに圧接させて処理用シートＥを切断に適したシート張力に増大させておく。次に、図５に示す如く、切断・保持装置４の第１前進・後退手段３２で第１保持具１０及び切断具１１を保持・切断位置Ｌｂまで前進させて停止させた後に、第１保持具１０の吸引箱３９の吸引をＯＮ状態にしつつ切断具１１の切断刃４０を左右方向へトラバースさせて処理用シートＥを切断分離する。
【００３２】
（処理用シートＥとリード用シートＪとの接合工程）
切断・保持装置４の第１前進・後退手段３２で第１保持具１０及び切断具１１を待機位置Ｌａ（図４参照）まで後退させると共に、シートガイド装置２へ至る処理用シートＥの切断縁Ｅａを第１保持具１０で吸引保持しつつ、第１保持具１０及び切断具１１を図６に示す接合位置Ｍまで移動させる。続けて、リード用シートＥの先端縁Ｅａを保持している引出し装置７の第２保持具１５を前進位置Ｐの待機位置Ｐａまで移動させ、次に、引出し装置７の第２前進・後退手段４６で第２保持具１５を当接位置Ｐｂまで前進させ、第１保持具１０で保持されて接合位置Ｍで停止中の処理用シートＥの切断縁Ｅａにリード用シートＪの先端縁Ｊａを接合手段Ｑを介して当接させて接合部Ｕを形成する。
【００３３】
（リード用シートの送り込み工程）
処理用シートＥの切断縁Ｅａにリード用シートＪの先端縁Ｊａを接合させたなら、図８に示す如く、切断・保持装置４の第１保持具１０及び引出し装置７の第２保持具１５の各吸引を停止して、引出し装置７の第２保持具１５を引受位置Ｎまで移動させる共に、リード用シートＪをシート繋ぎ装置３及びシートガイド装置２を介して後方側の塗工・乾燥装置等の処理装置（図示略）へ送り出す。
【００３４】
なお、処理装置（図示略）の運転再開に伴い処理装置へ処理用シートＥを送り込むときには、リード用シートＪと処理用シートＥをシート繋ぎ装置３で接合し、リード用シートＪを除去しつつ処理用シートＥを送り込むとよい。
【図面の簡単な説明】
【００３５】
【図１】本発明設備の実施形態を示すものであって、シート巻出装置の一方の処理用ロールからシートを巻き出すと共にシート巻出装置から巻き出したリード用シートの先端縁を引出し装置の第２保持具に保持させている状態を示す左側面図である。
【図２】本発明設備の平面図である。
【図３】切断・保持装置及びシート繋ぎ装置を拡大して示す左側面図である。
【図４】第１保持具及び切断具を前進位置の待機位置に位置させた状態を拡大して示す左側面図である。
【図５】処理用シート巻出装置の一方のシートロールから巻き出されて停止中の処理用シートを切断・保持装置の第１保持具の吸引箱で保持しつつ切断具の刃で切断している途中を拡大して示す左側面図である。
【図６】処理用シートの切断縁を保持している切断・保持装置の第１保持具及び切断具を接合位置で待機させると共に、リード用シートの先端縁を保持している引出し装置の第２保持具を当接位置の直前まで移動させている状態を示す左側面図である。
【図７】処理用シートの切断縁にリード用シートの先端縁を接合手段を介して当接して接合している状態を拡大して示す左側面図である。
【図８】接合した処理用シート及びリード用シートを走行させている状態を示す左側面図である。
【符号の説明】
【００３６】
２…シートガイド装置、３…シート繋ぎ装置、４…切断・保持装置、５…処理用シート巻出装置、６…リード用シート巻出装置、７…引出し装置、１０…第１保持具、１１…切断具、１２…第１移動装置、１５…第２保持具、１６…第２移動装置、３２…第１前進・進退手段、３９…吸引箱、４０…刃、４１…刃用トラバース装置、４６…第２前進・進退手段、５７…吸引箱、Ｅ…処理用シート、Ｅａ…切断縁、Ｆ…シートロール、Ｊ…リード用シート、Ｊａ…先端縁、Ｋ…シートロール、Ｌ…前進位置、Ｌａ…待機位置、Ｌｂ…保持・切断位置、Ｍ…接合位置、Ｎ…引受位置、Ｐ…前進位置、Ｐａ…待機位置、Ｐｂ…当接位置、Ｑ…接合手段、Ｓ…作業空間、Ｕ…接合部、
【図１】
2010058867.tif 000003
【図２】
2010058867.tif 000004
【図３】
2010058867.tif 000005
【図４】
2010058867.tif 000006
【図５】
2010058867.tif 000007
【図６】
2010058867.tif 000008
【図７】
2010058867.tif 000009
【図８】
2010058867.tif 000010